(57)【要約】【課題】  赤目補正の対象となる画像を容易に確認することが可能な画像処理装置および方法、並びに画像処理プログラムを提供する。【解決手段】  パーソナルコンピュータ２のＣＰＵ６０は、デジタルカメラ１０から取り込んだ画像ファイル５０のタグ情報５３に付記されたストロボ発光状態と赤目補正の実施履歴とを参照して、赤目補正の対象となる画像ファイル５０を特定する。画像処理ブラウザ７０のウィンドウ７２ｂには、ＣＰＵ６０で赤目補正の対象として特定された画像ファイル５０のサムネイル画像５２のみが選択的に表示される。【選択図】        図７
2005157641.tif 000002
【特許請求の範囲】
【請求項１】
デジタルカメラで撮影した画像データ、およびこの画像データに関するタグ情報を含む画像ファイルを取り込んで、前記画像データに対して画像補正を施す画像処理装置において、
前記タグ情報に付記されたストロボ発光状態と赤目補正の実施履歴とを参照して、前記赤目補正の対象となる画像ファイルを特定する補正対象特定手段と、
この補正対象特定手段で前記赤目補正の対象として特定された画像ファイルのみを選択的に表示する画像表示手段とを備えたことを特徴とする画像処理装置。
【請求項２】
デジタルカメラで撮影した画像データ、およびこの画像データに関するタグ情報を含む画像ファイルを取り込んで、前記画像データに対して画像補正を施す画像処理装置において、
前記タグ情報に付記されたストロボ発光状態と赤目補正の実施履歴とを参照して、前記赤目補正の対象となる画像ファイルを特定する補正対象特定手段と、
この補正対象特定手段で前記赤目補正の対象として特定された画像ファイルが存在するフォルダ、または当該画像ファイルが選択された場合にのみ、前記赤目補正の実施を指示するためのユーザーインターフェースを有効表示する画像表示手段とを備えたことを特徴とする画像処理装置。
【請求項３】
デジタルカメラで撮影した画像データ、およびこの画像データに関するタグ情報を含む画像ファイルを取り込んで、前記画像データに対して画像補正を施す画像処理方法において、
前記タグ情報に付記されたストロボ発光状態と赤目補正の実施履歴とを参照して、前記赤目補正の対象となる画像ファイルを特定して、
前記赤目補正の対象として特定された画像ファイルのみを選択的に表示することを特徴とする画像処理方法。
【請求項４】
デジタルカメラで撮影した画像データ、およびこの画像データに関するタグ情報を含む画像ファイルを取り込んで、前記画像データに対して画像補正を施す画像処理方法において、
前記タグ情報に付記されたストロボ発光状態と赤目補正の実施履歴とを参照して、前記赤目補正の対象となる画像ファイルを特定して、
前記赤目補正の対象として特定された画像ファイルが存在するフォルダ、または当該画像ファイルが選択された場合にのみ、前記赤目補正の実施を指示するためのユーザーインターフェースを有効表示することを特徴とする画像処理方法。
【請求項５】
デジタルカメラで撮影した画像データ、およびこの画像データに関するタグ情報を含む画像ファイルを取り込んで、前記画像データに対して画像補正を施す画像処理装置に、
前記タグ情報に付記されたストロボ発光状態と赤目補正の実施履歴とを参照して、前記赤目補正の対象となる画像ファイルを特定する機能と、
前記赤目補正の対象として特定された画像ファイルのみを選択的に表示する機能とを実現させることを特徴とする画像処理プログラム。
【請求項６】
デジタルカメラで撮影した画像データ、およびこの画像データに関するタグ情報を含む画像ファイルを取り込んで、前記画像データに対して画像補正を施す画像処理装置に、
前記タグ情報に付記されたストロボ発光状態と赤目補正の実施履歴とを参照して、前記赤目補正の対象となる画像ファイルを特定する機能と、
前記赤目補正の対象として特定された画像ファイルが存在するフォルダ、または当該画像ファイルが選択された場合にのみ、前記赤目補正の実施を指示するためのユーザーインターフェースを有効表示する機能とを実現させることを特徴とする画像処理プログラム。
【発明の詳細な説明】
【技術分野】
【０００１】
本発明は、デジタルカメラで撮影した画像データに対して画像補正を施す画像処理装置および方法、並びに画像処理プログラムに関する。
【背景技術】
【０００２】
デジタルカメラでストロボを発光させて撮影を行ったときに、人物の目の瞳孔部分が赤く写る所謂赤目現象が発生する場合がある。この赤目現象が発生した画像を補正する装置としては、赤目になっている片目あるいは両目を含む領域をユーザーに指定してもらい、指定された領域周辺の画素情報を元に、指定された領域内の赤目個数を自動判定して、その位置を検出する赤目検出補正装置が提案されている（特許文献１参照）。
【０００３】
また、赤目位置、目標とする色、キャッチライト位置をユーザーに指定してもらい、指定された赤目位置の中心から周縁部に向かって、目標とする色の階調パターンを放射状に形成し、指定されたキャッチライト位置に高輝度領域を形成する画像処理装置（特許文献２参照）が提案されている。
【０００４】
さらに、赤目が存在する可能性がある領域に対して、面積、最大長、平均彩度などの項目に関して所定の演算により評価値を算出し、この評価値を赤目領域の可能性判断の評価に用いる画像処理装置が提案されている（特許文献３参照）。
【０００５】
【特許文献１】特開平９−３２２１９２号公報
【特許文献２】特開平１０−９１７６１号公報
【特許文献３】特開平１０−２３３９２９号公報
【発明の開示】
【発明が解決しようとする課題】
【０００６】
特許文献１〜３に記載の各装置では、デジタルカメラから画像ファイルを取り込んだ後、赤目補正の対象となる画像ファイルをユーザーが自ら選択することを前提として、上記の処理が行われている。しかしながら、近年の記録メディアの大容量化や、撮影条件の多様化に伴って、デジタルカメラから取り込む画像ファイルの数や種類が膨大な量となっているため、赤目補正の対象となる画像ファイルの選択に多大な時間と労力を費やしていた。
【０００７】
本発明は、上記課題を鑑みてなされたものであり、赤目補正の対象となる画像を容易に確認することが可能な画像処理装置および方法、並びに画像処理プログラムを提供することを目的とする。
【課題を解決するための手段】
【０００８】
上記目的を達成するために、請求項１に記載の発明は、デジタルカメラで撮影した画像データ、およびこの画像データに関するタグ情報を含む画像ファイルを取り込んで、前記画像データに対して画像補正を施す画像処理装置において、前記タグ情報に付記されたストロボ発光状態と赤目補正の実施履歴とを参照して、前記赤目補正の対象となる画像ファイルを特定する補正対象特定手段と、この補正対象特定手段で前記赤目補正の対象として特定された画像ファイルのみを選択的に表示する画像表示手段とを備えたことを特徴とする。
【０００９】
請求項２に記載の発明は、デジタルカメラで撮影した画像データ、およびこの画像データに関するタグ情報を含む画像ファイルを取り込んで、前記画像データに対して画像補正を施す画像処理装置において、前記タグ情報に付記されたストロボ発光状態と赤目補正の実施履歴とを参照して、前記赤目補正の対象となる画像ファイルを特定する補正対象特定手段と、この補正対象特定手段で前記赤目補正の対象として特定された画像ファイルが存在するフォルダ、または当該画像ファイルが選択された場合にのみ、前記赤目補正の実施を指示するためのユーザーインターフェースを有効表示する画像表示手段とを備えたことを特徴とする。
【００１０】
請求項３に記載の発明は、デジタルカメラで撮影した画像データ、およびこの画像データに関するタグ情報を含む画像ファイルを取り込んで、前記画像データに対して画像補正を施す画像処理方法において、前記タグ情報に付記されたストロボ発光状態と赤目補正の実施履歴とを参照して、前記赤目補正の対象となる画像ファイルを特定して、前記赤目補正の対象として特定された画像ファイルのみを選択的に表示することを特徴とする。
【００１１】
請求項４に記載の発明は、デジタルカメラで撮影した画像データ、およびこの画像データに関するタグ情報を含む画像ファイルを取り込んで、前記画像データに対して画像補正を施す画像処理方法において、前記タグ情報に付記されたストロボ発光状態と赤目補正の実施履歴とを参照して、前記赤目補正の対象となる画像ファイルを特定して、前記赤目補正の対象として特定された画像ファイルが存在するフォルダ、または当該画像ファイルが選択された場合にのみ、前記赤目補正の実施を指示するためのユーザーインターフェースを有効表示することを特徴とする。
【００１２】
請求項５に記載の画像処理プログラムは、デジタルカメラで撮影した画像データ、およびこの画像データに関するタグ情報を含む画像ファイルを取り込んで、前記画像データに対して画像補正を施す画像処理装置に、前記タグ情報に付記されたストロボ発光状態と赤目補正の実施履歴とを参照して、前記赤目補正の対象となる画像ファイルを特定する機能と、前記赤目補正の対象として特定された画像ファイルのみを選択的に表示する機能とを実現させることを特徴とする。
【００１３】
請求項６に記載の画像処理プログラムは、デジタルカメラで撮影した画像データ、およびこの画像データに関するタグ情報を含む画像ファイルを取り込んで、前記画像データに対して画像補正を施す画像処理装置に、前記タグ情報に付記されたストロボ発光状態と赤目補正の実施履歴とを参照して、前記赤目補正の対象となる画像ファイルを特定する機能と、前記赤目補正の対象として特定された画像ファイルが存在するフォルダ、または当該画像ファイルが選択された場合にのみ、前記赤目補正の実施を指示するためのユーザーインターフェースを有効表示する機能とを実現させることを特徴とする。
【発明の効果】
【００１４】
本発明の画像処理装置および方法、並びに画像処理プログラムによれば、画像ファイルのタグ情報に付記されたストロボ発光状態と赤目補正の実施履歴とを参照して、赤目補正の対象となる画像ファイルを補正対象特定手段で特定して、この補正対象特定手段で赤目補正の対象として特定された画像ファイルのみを画像表示手段で選択的に表示する、あるいは、赤目補正の対象として特定された画像ファイルが存在するフォルダ、または当該画像ファイルが選択された場合にのみ、赤目補正の実施を指示するためのユーザーインターフェースを有効表示するようにしたので、赤目補正の対象となる画像を容易に確認することが可能となり、より円滑に赤目補正処理を行うことができる。
【発明を実施するための最良の形態】
【００１５】
図１において、本発明を適用したパーソナルコンピュータ（ＰＣ）２には、デジタルカメラ１０が接続されている。このＰＣ２は、デジタルカメラ１０から画像ファイル５０（図３参照）を取り込んで、画像ファイル５０に対して各種画像補正処理を施すことが可能となっている。
【００１６】
デジタルカメラ１０の電気的構成を示す図２において、撮像レンズ２０の背後には、撮像レンズ２０から入射する被写体光を撮像信号に変換するＣＣＤ２１が配置されている。ＣＣＤ２１で変換された撮像信号は、相関二重サンプリング回路（ＣＤＳ）２２に入力される。ＣＤＳ２２は、ＣＣＤ２１から入力された撮像信号を、ＣＣＤ２１の各セルの蓄積電荷量に正確に対応したＲ、Ｇ、Ｂの画像データとして出力する。
【００１７】
ＣＤＳ２２から出力された画像データは、増幅器（ＡＭＰ）２３で増幅される。Ａ／Ｄ変換器（Ａ／Ｄ）２４は、ＡＭＰ２３で増幅された画像データをデジタルの画像データに変換する。Ａ／Ｄ２４から出力されたデジタルの画像データは、画像信号処理回路２５に送信される。
【００１８】
画像信号処理回路２５は、階調変換、ホワイトバランス補正、γ補正処理などの各種画像処理を画像データに施す。画像信号処理回路２５で各種画像処理を施された画像データは、ＳＤＲＡＭ２６に一旦格納される。このＳＤＲＡＭ２６に格納された画像データは、ＬＣＤドライバ２７によりコンポジット信号に変換され、ＬＣＤ２８に表示される。
【００１９】
ＹＣ処理回路２９は、画像信号処理回路２５で各種画像処理を施された画像データをＳＤＲＡＭ２６から読み出して、輝度信号Ｙと色差信号Ｃｒ、Ｃｂとに変換する。圧縮伸長処理回路３０は、この変換された画像データに対して、所定の圧縮形式（例えばＪＰＥＧ形式）で画像圧縮を施す。
【００２０】
圧縮伸長処理回路３０により圧縮された画像データは、画像ファイル５０の形式で、カードＩ／Ｆ３１を介してメモリカード３２に記録される。メモリカード３２に記録された画像ファイル５０は、通信Ｉ／Ｆ３３およびＵＳＢ（Universal Serial Bus）コネクタ３４を経由して、ＰＣ２などの外部機器に送信される。
【００２１】
ＣＰＵ３５は、バス３６を介して各部に接続し、デジタルカメラ２全体の動作を統括的に制御する。ＣＰＵ３５には、撮影を実行する際に操作されるレリーズボタン３７、操作部３８、およびＥＥＰＲＯＭ３９が接続されている。
【００２２】
レリーズボタン３７は、２段階押しのスイッチとなっている。ＬＣＤ２８によるフレーミングの後に、レリーズボタン３７を軽く押圧（半押し）すると、自動露光調整（ＡＥ）、自動焦点調整（ＡＦ）などの各種撮影準備処理が施される。この状態でレリーズボタン３７をもう１度強く押圧（全押し）すると、撮影準備処理が施された１画面分の撮像信号が画像データに変換された後、画像信号処理回路２５および圧縮伸長処理回路３０による画像処理および圧縮処理が施され、メモリカード３２に記録される。
【００２３】
操作部３８は、撮像レンズ２０のズーム倍率をワイド側、テレ側に変倍するためのズーム操作ボタンや、ＬＣＤ２８にメニュー画面を表示させたり、選択内容を決定・キャンセルするためのメニューボタン、ＬＣＤ２８に表示されるメニュー画面内でカーソルを移動させるための十字キーなどから構成される。
【００２４】
ＥＥＰＲＯＭ３９には、各種制御用のプログラムや設定情報などが記録されている。ＣＰＵ３５は、これらの情報をＥＥＰＲＯＭ３９から作業用メモリであるＳＤＲＡＭ２６に読み出して、各種処理を実行する。
【００２５】
測光・測距回路４０は、被写体の輝度、および被写体と撮像レンズ２０との距離を検出し、ＣＰＵ３５に検出結果を送信する。ＣＰＵ３５は、この検出結果に基づいて、適正な焦点距離および露光量となるように撮像レンズ２０の各種パラメータを調整する。また、この測光・測距回路４０は、ＣＰＵ３５からフィードバックされる調整信号を元に、撮像レンズ２０、およびストロボ装置４１を制御するストロボ制御回路４２を駆動させる。
【００２６】
ストロボ装置４１の発光モードとしては、例えば被写体輝度が低いときに自動的にストロボ発光させる自動発光モード、被写体輝度に関わらずストロボ発光させる強制発光モード、ストロボ発光を禁止する発光禁止モード、赤目現象を軽減させる赤目軽減モードなどがあり、これらは操作部３８を操作することにより選択可能となっている。
【００２７】
図３に示すように、メモリカード３２に記録される画像ファイル５０は、主画像５１、サムネイル画像５２、および画像データに関するタグ情報５３などから構成される。タグ情報５３には、ストロボ発光状態（ストロボ発光の有無、ストロボ発光モード）や、赤目補正の実施履歴などか付記されている。
【００２８】
デジタルカメラ１０では、メモリカード３２に画像ファイル５０が記録される毎に、その画像ファイル５０に固有のファイル名（撮影した順番に連続した通し番号、例えばＤＳＣＦ０００１．ＪＰＧなど）を付与する。そして、これらを同一のフォルダ７１（図５参照）に格納する。なお、ファイル名の拡張子「. ＪＰＧ」は、ＪＰＥＧ形式で圧縮した画像データであることを表す。また、動画像データが記録される場合は、これに付随する音声データ（拡張子「. ＡＶＩ」）も関連付けて記録される。
【００２９】
図４において、ＰＣ２は、ＣＰＵ６０により全体の動作を統括的に制御される。ＣＰＵ６０は、バス６１を介して、ＲＡＭ６２、ＲＯＭ６３、および入出力Ｉ／Ｆ６４に接続している。ＲＡＭ６２には、デジタルカメラ１０から取り込まれた画像ファイル５０が記録される。ＲＯＭ６３には、ＰＣ２の起動時に必要なプログラムや、デジタルカメラ１０から取り込んだ画像ファイル５０に対して各種画像補正処理を施すための画像処理プログラム６５がインストールされている。入出力Ｉ／Ｆ６４には、モニタ６６、キーボード６７、マウス６８、およびＵＳＢコネクタ６９が接続されている。
【００３０】
ＣＰＵ６０は、デジタルカメラ１０から取り込んだ画像ファイル５０のタグ情報５３に付記されたストロボ発光状態と赤目補正の実施履歴とを参照して、ストロボを発光させて撮影したもの、または赤目補正が実施されていないもの、あるいは発光禁止モード以外の発光モードで撮影されたものを、赤目補正の対象となる画像ファイル５０として、該当フォルダ７１内にある複数の画像ファイル５０の中から特定する。
【００３１】
画像処理プログラム６５が起動されると、モニタ６６上には、図５に示すような画像処理ブラウザ７０が表示される。この画像処理ブラウザ７０には、フォルダ７１の検索を補助するエクスプローラウィンドウ７２ａと、該当フォルダ７１内の画像ファイル５０のサムネイル画像５２が表示されるウィンドウ７２ｂと、レビュー画像７３が表示されるウィンドウ７２ｃと、赤目補正の実施を指示するための赤目補正アイコン７４とが表示される。ウィンドウ７２ｂには、ＣＰＵ６０で赤目補正の対象として特定された画像ファイル５０のサムネイル画像５２のみが選択的に表示される。なお、レビュー画像７３は、サムネイル画像５２にマウス６８のカーソル７５を合わせ、マウス６８をクリックすることで表示される。
【００３２】
レビュー画像７３が表示された状態で赤目補正アイコン７４が選択されると、モニタ６６上には、図６に示すような赤目補正ブラウザ８０が表示される。赤目補正ブラウザ８０には、レビュー画像７３と手形カーソル８１とが表示される。赤目補正は、手形カーソル８１をレビュー画像７３の赤目部分に合わせて、マウス６８をクリックすることにより自動的に実施される。ＣＰＵ６０は、赤目補正が実施された画像ファイル５０のタグ情報５３の赤目補正の実施履歴を、「あり」に書き換えた後、赤目補正済みの画像ファイル５０をＲＡＭ６２に記録する。
【００３３】
次に、上記構成による作用について説明する。まず、デジタルカメラ１０で被写体の撮影を行う場合、撮像レンズ２０を介して入射した被写体光は、ＣＣＤ２１により光電変換され、ＣＤＳ２２でサンプリングされる。
【００３４】
ＣＤＳ２２から出力された画像データは、ＡＭＰ２３で増幅され、Ａ／Ｄ２４でデジタルの画像データに変換される。デジタル変換された画像データは、画像信号処理回路２５で各種画像処理が施され、ＳＤＲＡＭ２６に順次格納される。ＳＤＲＡＭ２６に格納された画像データは、ＬＣＤドライバ２７を介してＬＣＤ２８にスルー画像として表示される。この状態でレリーズボタン３７が半押しされると、各種撮影準備処理が施される。
【００３５】
撮影準備処理後、レリーズボタン３７の全押しにより撮影が実行されると、そのときＳＤＲＡＭ２６に格納されている画像データがＹＣ処理回路２９に読み出され、輝度信号Ｙと色差信号Ｃｒ、Ｃｂとに変換された後、圧縮伸長処理回路３０で圧縮処理が施され、カードＩ／Ｆ３１を経由してメモリカード３２に記録される。
【００３６】
メモリカード３２に記録される画像ファイル５０のタグ情報５３には、ストロボ発光状態（ストロボ発光の有無、ストロボ発光モード）や、赤目補正の実施履歴などか付記される。そして、画像ファイル５０毎にファイル名が付与され、主画像５１、サムネイル画像５２などとともに、同一のフォルダ７１に格納される。
【００３７】
被写体の撮影終了後、ＵＳＢコネクタ３４、６９を介して、ＰＣ２とデジタルカメラ１０とがＵＳＢ接続され、複数の画像ファイル５０が格納されたフォルダ７１が、メモリカード３２からＲＡＭ６２に取り込まれる。
【００３８】
画像処理プログラム６５が起動されると、モニタ６６上に画像処理ブラウザ７０が表示される。このとき、ＣＰＵ６０では、図７に示すように、デジタルカメラ１０から取り込んだ画像ファイル５０のタグ情報５３に付記されたストロボ発光状態と赤目補正の実施履歴とが参照され、赤目補正の対象となる画像ファイル５０が、該当フォルダ７１内にある複数の画像ファイル５０の中から特定される。そして、画像処理ブラウザ７０のウィンドウ７２ｂに、ＣＰＵ６０で赤目補正の対象として特定された画像ファイル５０のサムネイル画像５２のみを選択的に表示させる。
【００３９】
レビュー画像７３が表示された状態で赤目補正アイコン７４が選択されると、モニタ６６上に赤目補正ブラウザ８０が表示される。この状態で手形カーソル８１をレビュー画像７３の赤目部分に合わせて、マウス６８をクリックすることにより、赤目補正が自動的に実施される。
【００４０】
赤目補正後、赤目補正が実施された画像ファイル５０のタグ情報５３の赤目補正の実施履歴が、「あり」に書き換えられ、赤目補正済みの画像ファイル５０がＲＡＭ６２に記録される。このような構成であると、従来のように、画像を１つ１つ確認しながら赤目補正の対象となる画像を探す手間が省け、より円滑に赤目補正処理を行うことができる。
【００４１】
なお、図８および図９に示すように、ＣＰＵ６０で赤目補正の対象として特定された画像ファイル５０が存在するフォルダ７１、または当該画像ファイル５０が選択された場合にのみ、赤目補正アイコン７４を有効表示して、赤目補正の対象となる画像ファイル５０が存在するフォルダ７１、または画像ファイル５０を、赤目補正アイコン７４の表示状態により確認するようにしてもよい。この場合、赤目補正の対象となる画像ファイル５０が存在しないフォルダ７１、または赤目補正の対象ではない画像ファイル５０が選択されたときには、赤目補正アイコン７４を非表示、若しくは無効表示とする。
【図面の簡単な説明】
【００４２】
【図１】本発明を適用したパーソナルコンピュータにデジタルカメラを接続した様子を示す説明図である。
【図２】デジタルカメラの電気的構成を示すブロック図である。
【図３】画像ファイルの構成を示す説明図である。
【図４】パーソナルコンピュータの内部構成を示すブロック図である。
【図５】画像処理ブラウザの表示内容を示す説明図である。
【図６】赤目補正ブラウザの表示内容を示す説明図である。
【図７】パーソナルコンピュータによる画像処理手順を示すフローチャートである。
【図８】本発明の別の実施形態を示すフローチャートである。
【図９】本発明の別の実施形態を示すフローチャートである。
【符号の説明】
【００４３】
２  パーソナルコンピュータ（ＰＣ）
１０  デジタルカメラ
２０  撮像レンズ
２１  ＣＣＤ
２５  画像信号処理回路
２８  ＬＣＤ
３２  メモリカード
３５  ＣＰＵ
３７  レリーズボタン
４１  ストロボ装置
５０  画像ファイル
５３  タグ情報
６０  ＣＰＵ
６５  画像処理プログラム
６６  モニタ
７０  画像処理ブラウザ
７１  フォルダ
７４  赤目補正アイコン
８０  赤目補正ブラウザ
【図１】
2005157641.tif 000003
【図２】
2005157641.tif 000004
【図３】
2005157641.tif 000005
【図４】
2005157641.tif 000006
【図５】
2005157641.tif 000007
【図６】
2005157641.tif 000008
【図７】
2005157641.tif 000009
【図８】
2005157641.tif 000010
【図９】
2005157641.tif 000011